(57)【特許請求の範囲】
【請求項１】
放送波で受信データを受信する受信部と、
前記受信データから文字を含む表示要素と、前記表示要素の提示領域を示す配置情報を取得する取得部と、
有効な配置情報が取得されたとき、前記提示領域が操作に応じて可変であることを通知する通知部と、
前記表示要素の提示領域を前記配置情報が示す提示領域から操作に応じて変更する表示制御部と、
を備える受信装置。
【請求項２】
前記通知部は、前記文字の大きさが所定の大きさの範囲外であるとき、前記通知を表示部に表示させる請求項１に記載の受信装置。
【請求項３】
前記表示制御部は、前記表示要素を表示する表示部の表示領域が大きいほど、前記文字の大きさの前記表示部の表示領域の大きさに対する比率を小さくする請求項１または請求項２に記載の受信装置。
【請求項４】
前記受信部は、複数チャンネルの放送波でそれぞれの受信データを受信し、
前記表示制御部は、前記複数チャンネルの表示領域を定め、少なくとも１チャンネルの受信データから取得された文字の提示領域を、操作に応じて当該チャンネルの表示領域内から前記複数チャンネルの表示領域外に変更し、前記少なくとも１チャンネルの受信データから取得された映像の提示領域を当該チャンネルの表示領域内に維持する請求項１から請求項３のいずれか一項に記載の受信装置。
【請求項５】
受信装置の受信方法であって、
受信部が放送波で受信した受信データから文字を含む表示要素と、前記表示要素の提示領域を示す配置情報を取得する取得過程と、
有効な配置情報が取得されたとき、前記提示領域が操作に応じて可変であることを通知する通知過程と、
前記表示要素の提示領域を前記配置情報が示す提示領域から操作に応じて変更する表示制御過程と、
を有する受信方法。
【請求項６】
受信装置のコンピュータに、
受信部が放送波で受信した受信データから文字を含む表示要素と、前記表示要素の提示領域を示す配置情報を取得する取得手順、
有効な配置情報が取得されたとき、前記提示領域が操作に応じて可変であることを通知する通知手順、
前記表示要素の提示領域を前記配置情報が示す提示領域から操作に応じて変更する表示制御手順、
を実行させるためのプログラム。
【請求項７】
請求項６に記載のプログラムを記憶したコンピュータ読み取り可能な記憶媒体。
【発明の詳細な説明】
【技術分野】
【０００１】
本発明は、受信装置、受信方法及びプログラムに関する。
【背景技術】
【０００２】
テレビジョン放送では、放送波により１つの映像に限らず、同時に複数の映像、文字等のコンポーネント（ｃｏｍｐｏｎｅｎｔ、要素情報）が多重化されることがある。従来、各コンポーネントは、予め放送事業者や番組制作者（以下、放送事業者等、と呼ぶ）が定めた表示領域に表示されていた。受信装置には、ユーザの操作や表示領域の大きさにより、それぞれの表示領域を変更できるものがある。
【０００３】
例えば、特許文献１には、データ放送の縮小表示では、文字放送表示部分の領域を判断し、フォーカス表示し、そのフォーカス部分をリモコンで選択することで元のサイズまで文字領域を拡大表示するマルチ画面表示装置について記載されている。また、当該マルチ画面表示装置は、フォーカス部分の色をカラーボタン付きリモコンの色に合わせることで、データ放送画面の縮小時、リモコン操作とデータ放送画面の操作とを統一したリモコンボタンによる操作を可能としている。
また、特許文献２には、受信機の制約条件から提示要素の提示が困難な場合であっても、提示要素の配置を調整し、提示するデータ放送表示装置について記載されている。
【先行技術文献】
【特許文献】
【０００４】
【特許文献１】特開２００２−１７１４５７号公報
【特許文献２】特開２０１０−２３９５０６号公報
【発明の概要】
【発明が解決しようとする課題】
【０００５】
しかしながら、放送事業者等が意図した画面サイズ、レイアウトは、必ずしもユーザ所望の画面サイズ、レイアウトになるとは限らないという課題がある。例えば、特許文献１に記載のマルチ画面表示装置において、リモコン操作によって拡大した元のサイズは、ユーザ所望のサイズであるとは限らない。また、特許文献２に記載のデータ放送表示装置は、複数の提示要素が互いに重複しないように配置を調整するが、調整した提示要素の配置がユーザ所望の位置であるとは限らない。
【課題を解決するための手段】
【０００６】
本発明は、上記の課題を解決するためになされたものであり、本発明の一態様は、放送波で受信データを受信する受信部と、前記受信データから文字を含む表示要素と、前記表示要素の提示領域を示す配置情報を取得する取得部と、有効な配置情報が取得されたとき、前記提示領域が操作に応じて可変であることを通知する通知部と、前記表示要素の提示領域を前記配置情報が示す提示領域から操作に応じて変更する表示制御部と、を備える受信装置である。
【発明の効果】
【０００７】
本発明によれば、放送事業者等が意図した提示領域を尊重したうえで、ユーザ所望の提示領域の調整を実現することができる。
【図面の簡単な説明】
【０００８】
【図１】第１の実施形態に係る放送システムの構成を示すブロック図である。
【図２】第１の実施形態に係る送信装置の構成を示すブロック図である。
【図３】ＭＰＴの例を示す図である。
【図４】ＭＨ−データ符号化方式記述子の例を示す図である。
【図５】ＭＦＵの例を示す図である。
【図６】付加識別情報の例を示す図である。
【図７】ＬＣＴの例を示す図である。
【図８】ＭＰＵ提示領域指定記述子の例を示す図である。
【図９】提示領域の設定例を示す図である。
【図１０】ＭＰＵ提示領域指定記述子の設定例を示す図である。
【図１１】第１の実施形態に係る受信装置の構成を示すブロック図である。
【図１２】第１の実施形態に係る制御部の構成を示すブロック図である。
【図１３】表示映像の一例を示す図である。
【図１４】通知画像の一例を示す図である。
【図１５】文字領域設定データの一例を示す図である。
【図１６】表示映像の他の例を示す図である。
【図１７】第１の実施形態に係る受信処理を示すフローチャートである。
【図１８】表示映像の他の例を示す図である。
【図１９】第２の実施形態に係る受信装置の構成を示すブロック図である。
【図２０】第２の実施形態に係る制御部の構成を示すブロック図である。
【図２１】表示映像の他の例を示す図である。
【図２２】表示映像の他の例を示す図である。
【図２３】通知画像の他の例を示す図である。
【図２４】表示映像の他の例を示す図である。
【発明を実施するための形態】
【０００９】
（第１の実施形態）
本発明の第１の実施形態について、図面を参照しながら説明する。
図１は、本実施形態に係る放送システム１の構成を示すブロック図である。放送システム１は、送信装置１１と、受信装置３１とを含んで構成される。送信装置１１は、例えば、放送事業者等が有する放送設備を構成する。受信装置３１は、送信装置１１から放送される放送番組を受信し、受信した放送番組の映像を表示し、当該放送番組の音声を再生する。放送番組は、文字データと多重化される場合がある。その場合には、受信装置３１は、多重化された文字データが示す文字を映像に重ね合わせて表示する。受信装置３１は、例えば、各家庭や事業所等に設置される。
【００１０】
送信装置１１は、放送番組の内容を表す番組データと文字データとを多重化した多重化データを、放送伝送路１２を介して受信装置３１に送信する。番組データは、例えば、音声データと映像データとを含む。文字データは、文字情報を含んだデータである。文字情報は、文字多重放送により提供される文字を表す情報であり、タイムドテキスト（ｔｉｍｅｄ  ｔｅｘｔ）とも呼ばれる。文字多重放送には、字幕放送と文字スーパーがある。字幕放送は、映像と音声を含んで構成される主たる番組と同期した放送である。文字スーパーは、主たる番組とは同期していない放送であり、非同期字幕とも呼ばれる。
【００１１】
放送伝送路１２は、送信装置１１が送信する各種のデータを同時に不特定多数の受信装置３１に一方向的に伝送する伝送路である。放送伝送路１２は、例えば、放送衛星１３で中継される所定の周波数帯域の電波（放送波）である。放送伝送路１２の一部には、通信回線、例えば、送信装置１１から電波を送信するための送信設備までの通信回線が含まれてもよい。
【００１２】
受信装置３１は、送信装置１１から放送伝送路１２を介して放送波を受信する。受信装置３１は、放送波で伝送された多重化データから番組データと文字データを取得する。受信装置３１は、番組データから映像データと音声データを取得する。受信装置３１は、取得した映像データが示す映像と文字データが示す文字を表示し、取得した音声データが示す音声を再生する。受信装置３１は、例えば、テレビジョン受信装置、映像記録装置、スマートフォン等、テレビジョン放送の放送波を受信することができる機能を有する電子機器である。なお、以下の説明では、受信装置３１において表示されることを主目的として伝送されるデータ（例えば、映像データ、文字データ等）が表す情報を「表示要素」と総称する。
【００１３】
（送信装置の構成）
次に、本実施形態に係る送信装置１１の構成について説明する。図２は、本実施形態に係る送信装置１１の構成を示すブロック図である。送信装置１１は、番組データ取得部１１１、文字データ取得部１１２、構成情報取得部１１３、多重化部１１４、暗号化部１１５及び送信部１１６を含んで構成される。
【００１４】
番組データ取得部１１１は、放送番組を構成する映像を示す映像データと音声を示す音声データを取得する。番組データ取得部１１１は、所定の映像符号化方式で符号化された映像データを取得する。所定の映像符号化方式は、例えば、ＩＳＯ／ＩＥＣ  ２３００８  ＨＥＶＣ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ／Ｉｎｔｅｒｎａｔｉｏｎａｌ  Ｅｌｅｃｔｒｏｎｉｃａｌ  Ｃｏｍｍｉｓｓｉｏｎ  ２３００８  Ｐａｒｔ２  Ｈｉｇｈ  Ｅｆｆｉｃｉｅｎｃｙ  Ｖｉｄｅｏ  Ｃｏｄｉｎｇ、単にＨＥＶＣとも呼ばれる）で規格化された方式である。
【００１５】
また、番組データ取得部１１１は、所定の音声符号化方式で符号化された音声データを取得する。所定の音声符号化方式は、例えば、ＩＳＯ／ＩＥＣ  １４４９６  Ｐａｒｔ３（単に、ＭＰＥＧ−４オーディオとも呼ばれる）で規定された音声符号化方式である。番組データ取得部１１１は、取得した映像データと音声データから所定の形式の番組データを生成し、生成した番組データを多重化部１１４に出力する。所定の形式の番組データは、例えば、ＩＳＯ／ＩＥＣ  ２３００８  Ｐａｒｔ１  ＭＭＴ（ＭＰＥＧ  Ｍｅｄｉａ  Ｔｒａｎｓｐｏｒｔ、単にＭＭＴとも呼ばれる）で規定されたＭＰＵ（Ｍｅｄｉａ  Ｐｒｏｃｅｓｓｉｎｇ  Ｕｎｉｔ）である。各ＭＰＵには、映像や音声の復号処理を行うことができる単位の映像データ又は音声データが含まれる。
【００１６】
文字データ取得部１１２は、文字多重放送で伝送される文字データを取得する。文字データは、文字多重放送により提供される文字を示す文字情報と、それらの表示態様を示す設定情報とを含んだ所定の形式のデータである。所定の形式のデータは、例えば、ＴＴＭＬ（Ｔｉｍｅｄ  Ｔｅｘｔ  Ｍａｒｋｕｐ  Ｌａｎｇｕａｇｅ）で記述されたデータ形式のデータである。設定情報は、その要素として配列方向（縦、横）、等を示す構造情報や、文字の大きさ（フォントサイズ）、色、等の修飾情報を含む。ＴＴＭＬは、これらの設定情報を所定の文字列（タグ）で囲んで記述する記述言語である。設定情報の各要素は、属性（ａｔｔｒｉｂｕｔｅ）とも呼ばれることがある。ＴＴＭＬでは、設定情報の適用対象の文字が、開始タグと終了タグとの間で囲むことにより指定される。ＴＴＭＬでは、必ずしも設定情報の全ての要素が含まれていなくてもよく、任意的である。ＴＴＭＬについては、例えば、次の出典に詳細に記載されている（“Ｔｉｍｅｄ  Ｔｅｘｔ  Ｍａｒｋｕｐ  Ｌａｎｇｕａｇｅ  １（ＴＴＭＬ１）（Ｓｅｃｏｎｄ  Ｅｄｉｔｉｏｎ）”，［ｏｎｌｉｎｅ］，Ｗ３Ｃ，［平成２６年１２月２２日検索］，インターネット＜ＵＲＬ：ｈｔｔｐ：／／ｗｗｗ．ｗ３．ｏｒｇ／ＴＲ／２０１３／ＲＥＣ−ｔｔｍｌ１−２０１３０９２４／＞）。
文字データ取得部１１２は、取得した文字データを多重化部１１４に出力する。
【００１７】
構成情報取得部１１３には、放送番組、文字多重放送等、放送により提供されるサービスの構成要素に関する構成情報を取得する。構成情報は、放送番組、文字多重放送等の構成要素であるアセット、つまり、映像、音声、文字情報等のリストや、それらの諸要件を示す情報を含む。構成情報は、所定の形式（例えば、ＭＭＴ−ＳＩ：ＭＭＴ−Ｓｙｓｔｅｍ  Ｉｎｆｏｒｍａｔｉｏｎ、等）のデータで表される。構成情報には、ＭＰテーブル（ＭＰＴ：ＭＭＴ  Ｐａｃｋａｇｅ  Ｔａｂｌｅ）、レイアウト設定テーブル（ＬＣＴ：Ｌａｙｏｕｔ  Ｃｏｎｆｉｇｕｒａｔｉｏｎ  Ｔａｂｌｅ）が含まれる。ＭＰＴは、アセットのリストや、文字放送か文字スーパーかのサービス種別を示す情報、等が記述されるデータである。ＬＣＴは、各アセットの提示領域を示す配置情報が記述されるデータである。構成情報取得部１１３は、取得した構成情報を多重化部１１４に出力する。ＭＰＴ、ＬＣＴのデータ構造については後述する。
【００１８】
多重化部１１４は、番組データ取得部１１１から入力された番組データ、文字データ取得部１１２から入力された文字データ及び構成情報取得部１１３から入力された構成情報を多重化して、所定の形式（例えば、ＴＬＶ：Ｔｙｐｅ  Ｌｅｎｇｔｈ  Ｖａｌｕｅパケット）の多重化データを生成する。多重化部１１４は、生成した多重化データを暗号化部１１５に出力する。
【００１９】
暗号化部１１５は、多重化部１１４から入力された多重化データを所定の暗号化方式（例えば、ＡＥＳ：Ａｄｖａｎｃｅｄ  Ｅｎｃｒｙｐｔｉｏｎ  Ｓｔａｎｄａｒｄ）を用いて暗号化する。暗号化部１１５は、暗号化した多重化データを送信部１１６に出力する。
送信部１１６は、暗号化部１１５から入力された多重化データを受信装置３１に放送伝送路１２を介して送信する。ここで、送信部１１６は、ベースバンド信号である多重化データで所定の搬送周波数を有する搬送波を変調させて、搬送周波数に対応したチャネル帯域の電波（放送波）をアンテナ（図示せず）により放射する。
【００２０】
（ＭＰＴのデータ構造）
次に、ＭＰＴのデータ構造について説明する。図３は、ＭＰＴの例を示す図である。図３に示す例では、ＭＰＴ（ＭＭＴ  Ｐａｃｋａｇｅ  Ｔａｂｌｅ）は、アセット毎にアセットタイプ（ａｓｓｅｔ＿ｔｙｐｅ）とアセット記述子領域（ａｓｓｅｔ＿ｄｅｓｃｒｉｐｔｏｒｓ＿ｂｙｔｅ）とを含む。アセットタイプ（ａｓｓｅｔ＿ｔｙｐｅ）には、アセットの種類を示す符号が記述される。アセットタイプ（ａｓｓｅｔ＿ｔｙｐｅ）として、例えば、ＨＥＶＣで符号化された映像データを示すｈｃｖ１、ＭＰＥＧ−４オーディオで符号化された音声データを示すｍｐ４ａ、文字データ（タイムドテキスト）を示すｓｔｐｐのいずれかが記述される。
【００２１】
アセット記述子領域（ａｓｓｅｔ＿ｄｅｓｃｒｉｐｔｏｒｓ＿ｂｙｔｅ）は、アセット毎の記述子が記述される領域である。当該領域には、ＭＨ−データ符号化方式記述子（ＭＨ−Ｄａｔａ＿Ｃｏｍｐｏｎｅｎｔ＿Ｄｅｓｃｒｉｐｔｏｒ（））やＭＰＵ提示領域指定記述子（ＭＰＵ＿Ｐｒｅｓｅｎｔａｔｉｏｎ＿Ｒｅｇｉｏｎ＿Ｄｅｓｃｒｉｐｔｏｒ（））が記述されることがある。ＭＰＵ提示領域指定記述子は、映像データ、文字データ等を格納するＭＰＵに格納される映像データ、文字データ等の提示領域を指定するための記述子である。ＭＨ−データ符号化方式記述子は、文字データや、当該文字データに付随した各種のデータを符号化するためのデータ符号化方式を識別するために使用される記述子である。
【００２２】
（ＭＨ−データ符号化方式記述子のデータ構造）
次に、ＭＨ−データ符号化方式記述子のデータ構造について説明する。
図４は、ＭＨ−データ符号化方式記述子の例を示す図である。図４に示す例では、ＭＨ−データ符号化方式記述子（ＭＨ−Ｄａｔａ＿Ｃｏｍｐｏｎｅｎｔ＿Ｄｅｓｃｒｉｐｔｏｒ（））は、データ符号化方式識別（ｄａｔａ＿ｃｏｍｐｏｎｅｎｔ＿ｉｄ）と付加識別情報（ａｄｄｉｔｉｏｎａｌ＿ｄａｔａ＿ｃｏｍｐｏｎｅｎｔ＿ｉｎｆｏ）を含んで構成される。文字データについては、データ符号化方式識別（ｄａｔａ＿ｃｏｍｐｏｎｅｎｔ＿ｉｄ）として、例えば、符号‘０ｘ００２０’が記述される。符号‘０ｘ００２０’は、デジタル放送における字幕符号化方式を示す。
【００２３】
付加識別情報（ａｄｄｉｔｉｏｎａｌ＿ｄａｔａ＿ｃｏｍｐｏｎｅｎｔ＿ｉｎｆｏ）には、図５に示すデータ構造を有する字幕・文字スーパー伝送方式の付加識別情報（Ａｄｄｉｔｉｏｎａｌ＿Ａｒｉｂ＿Ｓｕｂｔｉｔｌｅ＿Ｉｎｆｏ（））が記述される。
付加識別情報（Ａｄｄｉｔｉｏｎａｌ＿Ａｒｉｂ＿Ｓｕｂｔｉｔｌｅ＿Ｉｎｆｏ（））は、字幕識別タグ（ｓｕｂｔｉｔｌｅ＿ｔａｇ）、言語コード（ＩＳＯ＿６３９＿ｌａｎｇｕａｇｅ＿ｃｏｄｅ）、字幕タイプ（ｔｙｐｅ）、字幕記述方式識別（ｓｕｂｔｉｔｌｅ＿ｆｏｒｍａｔ）、及び開始ＭＰＵシーケンス番号（ｓｔａｒｔ＿ｍｐｕ＿ｓｅｑｕｅｎｃｅ＿ｎｕｍｂｅｒ）を含んで構成される。字幕識別タグ（ｓｕｂｔｉｔｌｅ＿ｔａｇ）は、字幕放送、文字スーパーのストリームを識別するためのラベルである。言語コード（ＩＳＯ＿６３９＿ｌａｎｇｕａｇｅ＿ｃｏｄｅ）は、字幕識別タグで識別される言語を示す。字幕タイプ（ｔｙｐｅ）は、サービス種別、即ち字幕放送と文字スーパーとの区別を示す。字幕放送が提供される場合には、字幕タイプ（ｔｙｐｅ）として符号‘００’が記述され、文字スーパーが提供される場合には、字幕タイプ（ｔｙｐｅ）として符号‘０１’が記述される。字幕記述方式識別（ｓｕｂｔｉｔｌｅ＿ｆｏｒｍａｔ）として、ＴＴＭＬ記述方式を示す符号‘００００’が記述される。開始ＭＰＵシーケンス番号（ｓｔａｒｔ＿ｍｐｕ＿ｓｅｑｕｅｎｃｅ＿ｎｕｍｂｅｒ）は、本記述子による設定が有効となる文字データの最初のＭＰＵシーケンス番号を示す。
【００２４】
次に、文字データを格納するためのＭＰＵのデータ構成について説明する。文字データの処理において、ＭＰＵが表示又は再生するための処理単位となる。ＭＰＵは、ある時間範囲において提示する文字データを含む。ＭＰＵには、当該文字データに関連する音声ファイル、画像ファイルのいずれか又は両者が含まれることがある。１個のＭＰＵは、１個又は複数のＭＦＵ(Ｍｅｄｉａ  Ｆｒａｇｍｅｎｔ  Ｕｎｉｔ)とＭＰＵシーケンス番号とを含んで構成される。字幕、文字スーパーのＭＰＵを構成する最初のＭＦＵには必ず文字データがサブサンプルデータとして含まれる。ＭＰＵシーケンス番号は、個々のＭＰＵを識別するための番号である。
【００２５】
（ＭＦＵのデータ構成）
次に、ＭＦＵのデータ構造について説明する。図６は、ＭＦＵの例を示す図である。ＭＦＵは、字幕識別タグ（ｓｕｂｔｉｔｌｅ＿ｔａｇ）、字幕シーケンス番号（ｓｕｂｔｉｔｌｅ＿ｓｅｑｕｅｎｃｅ＿ｎｕｍｂｅｒ）、サブサンプル番号（ｓｕｂｓａｍｐｌｅ＿ｎｕｍｂｅｒ）、最終サブサンプル番号（ｌａｓｔ＿ｓｕｂｓａｍｐｌｅ＿ｎｕｍｂｅｒ）、データタイプ（ｄａｔａ＿ｔｙｐｅ）及びデータバイト（ｄａｔａ＿ｂｙｔｅ）を含んで構成される。
字幕シーケンス番号（ｓｕｂｔｉｔｌｅ＿ｓｅｑｕｅｎｃｅ＿ｎｕｍｂｅｒ）は、当該アセットで送信される字幕データ全体におけるシーケンス番号であって、連続するＭＰＵ間でインクリメントされる番号である。サブサンプル番号（ｓｕｂｓａｍｐｌｅ＿ｎｕｍｂｅｒ）は、当該ＭＰＵにおけるデータのサブサンプルを格納したＭＦＵの昇順で表される番号である。各ＭＰＵにおける最初のサブサンプルの番号は０である。最終サブサンプル番号（ｌａｓｔ＿ｓｕｂｓａｍｐｌｅ＿ｎｕｍｂｅｒ）は、当該ＭＰＵで送信されるデータの最後のサブサンプル番号である。データタイプ（ｄａｔａ＿ｔｙｐｅ）は、当該ＭＦＵに格納されるデータのデータ種別である。例えば、ＴＴＭＬ記述方式で記述された文字データが格納される場合には、データタイプ（ｄａｔａ＿ｔｙｐｅ）として符号‘００００’が記述される。データバイト（ｄａｔａ＿ｂｙｔｅ）は、当該ＭＦＵに送信対象の文字データが格納される領域である。
【００２６】
（ＬＣＴのデータ構造）
次に、ＬＣＴのデータ構造について説明する。図７は、ＬＣＴの例を示す図である。ＬＣＴでは、１又は複数の提示領域が指定される。ＬＣＴにおいて、レイアウト・デバイス数（ｎｕｍｂｅｒ＿ｏｆ＿ｌｏｏｐ）は、レイアウトとデバイスの組の数である。個々のレイアウトは、レイアウト番号（ｌａｙｏｕｔ＿ｎｕｍｂｅｒ）で指定される。例えば、「０」の値が記述されたレイアウト番号（ｌａｙｏｕｔ＿ｎｕｍｂｅｒ）はデフォルトのレイアウトを示し、「１」の値が記述されたレイアウト番号（ｌａｙｏｕｔ＿ｎｕｍｂｅｒ）は有効なレイアウトを示す。出力先デバイスは、デバイスＩＤ（ｄｅｖｉｃｅ＿ｉｄ）で指定される。出力先デバイスは、表示要素を表示する機器、例えば、受信装置３１の表示部３１９（後述）である。「０」の値が記述されたデバイスＩＤ（ｄｅｖｉｃｅ＿ｉｄ）は、メインデバイスを示す。領域数（ｎｕｍｂｅｒ＿ｏｆ＿ｒｅｇｉｏｎ）は、１つのレイアウトとデバイスの組における提示領域の数を示す。個々の提示領域は、領域番号（ｒｅｇｉｏｎ＿ｎｕｍｂｅｒ）で指定される。例えば、「０」の値が記述された領域番号（ｒｅｇｉｏｎ＿ｎｕｍｂｅｒ）は、デフォルトの提示領域を示す。提示領域は、その左上の位置、右上の位置で指定される。左上の位置は、左上水平位置（ｌｅｆｔ＿ｔｏｐ＿ｐｏｓ＿ｘ）と左上垂直位置（ｌｅｆｔ＿ｔｏｐ＿ｐｏｓ＿ｙ）で指定される。右下の位置は、右下水平位置（ｒｉｇｈｔ＿ｄｏｗｎ＿ｐｏｓ＿ｘ）と右下垂直位置（ｒｉｇｈｔ＿ｄｏｗｎ＿ｐｏｓ＿ｙ）で指定される。なお、左上水平位置（ｌｅｆｔ＿ｔｏｐ＿ｐｏｓ＿ｘ）、右下水平位置（ｒｉｇｈｔ＿ｄｏｗｎ＿ｐｏｓ＿ｘ）として、それぞれ全表示領域の幅に対する百分率が記述される。左上垂直位置（ｌｅｆｔ＿ｔｏｐ＿ｐｏｓ＿ｙ）、右下垂直位置（ｒｉｇｈｔ＿ｄｏｗｎ＿ｐｏｓ＿ｙ）として、それぞれ全表示領域の高さに対する百分率が記述される。また、ＬＣＴは、記述子領域（ｄｅｓｃｒｉｐｔｏｒ（））を含む。
【００２７】
（ＭＰＵ提示領域指定記述子のデータ構造）
次に、ＭＰＵ提示領域指定記述子（ＭＰＵ＿Ｐｒｅｓｅｎｔａｔｉｏｎ＿Ｒｅｇｉｏｎ＿Ｄｅｓｃｒｉｐｔｏｒ（））のデータ構造について説明する。図８は、ＭＰＵ提示領域指定記述子の例を示す図である。ＭＰＵ提示領域指定記述子は、ＭＰＵシーケンス番号（ｍｐｕ＿ｓｅｑｕｅｎｃｅ＿ｎｕｍｂｅｒ）、レイアウト番号（ｌａｙｏｕｔ＿ｎｕｍｂｅｒ）及び領域番号（ｒｅｇｉｏｎ＿ｎｕｍｂｅｒ）を含む。ＭＰＵシーケンス番号（ｍｐｕ＿ｓｅｑｕｅｎｃｅ＿ｎｕｍｂｅｒ）は、本記述子に含まれるレイアウト番号（ｌａｙｏｕｔ＿ｎｕｍｂｅｒ）、領域番号（ｒｅｇｉｏｎ＿ｎｕｍｂｅｒ）でそれぞれ指定されるレイアウト、提示領域に配置される表示要素（映像データ、文字データ）を格納するＭＰＵのシーケンス番号が記述される。従って、本記述子により、表示要素毎の提示領域が指定される。また、上述したようにレイアウト番号（ｌａｙｏｕｔ＿ｎｕｍｂｅｒ）により、例えば、デフォルトの提示領域であるか、有効な提示領域であるか否かが指定される。
【００２８】
（提示領域の設定例）
次に、ＬＣＴによる提示領域の設定例について説明する。図９は、提示領域の設定例を示す図である。図９（ａ）は、メインデバイスを出力デバイスとして設定された１個のデフォルトのレイアウトの設定例を示す。この例では、レイアウト・デバイス数（ｎｕｍｂｅｒ＿ｏｆ＿ｌｏｏｐ）、レイアウト番号（ｌａｙｏｕｔ＿ｎｕｍｂｅｒ）、デバイスＩＤ（ｄｅｖｉｃｅ＿ｉｄ）、領域数（ｎｕｍｂｅｒ＿ｏｆ＿ｒｅｇｉｏｎ）は、それぞれ「１」、「０」、「０」、「１」である。また、領域番号（ｒｅｇｉｏｎ＿ｎｕｍｂｅｒ）「０」に係る提示領域は、左上水平位置（ｌｅｆｔ＿ｔｏｐ＿ｐｏｓ＿ｘ）、左上垂直位置（ｌｅｆｔ＿ｔｏｐ＿ｐｏｓ＿ｙ）、右下水平位置（ｒｉｇｈｔ＿ｄｏｗｎ＿ｐｏｓ＿ｘ）、右下垂直位置（ｒｉｇｈｔ＿ｄｏｗｎ＿ｐｏｓ＿ｙ）として「０」、「０」、「１００」、「１００」と指定されている。上述の指定は、デフォルトのレイアウトにおいてメインデバイスの表示領域全体が１個の提示領域であることを示す。
【００２９】
図９（ｂ）は、メインデバイスを出力デバイスとして設定された１個の有効なレイアウトの設定例を示す。この例では、レイアウト・デバイス数（ｎｕｍｂｅｒ＿ｏｆ＿ｌｏｏｐ）、レイアウト番号（ｌａｙｏｕｔ＿ｎｕｍｂｅｒ）、デバイスＩＤ（ｄｅｖｉｃｅ＿ｉｄ）、領域数（ｎｕｍｂｅｒ＿ｏｆ＿ｒｅｇｉｏｎ）は、それぞれ「１」、「０」、「０」、「３」である。３つの提示領域は、それぞれ領域番号（ｒｅｇｉｏｎ＿ｎｕｍｂｅｒ）「０」、「１」、「２」で識別される。領域番号（ｒｅｇｉｏｎ＿ｎｕｍｂｅｒ）「０」に係る提示領域は、左上水平位置（ｌｅｆｔ＿ｔｏｐ＿ｐｏｓ＿ｘ）、左上垂直位置（ｌｅｆｔ＿ｔｏｐ＿ｐｏｓ＿ｙ）、右下水平位置（ｒｉｇｈｔ＿ｄｏｗｎ＿ｐｏｓ＿ｘ）、右下垂直位置（ｒｉｇｈｔ＿ｄｏｗｎ＿ｐｏｓ＿ｙ）として「２０」、「２０」、「１００」、「１００」と指定されている。領域番号（ｒｅｇｉｏｎ＿ｎｕｍｂｅｒ）「１」に係る提示領域は、左上水平位置（ｌｅｆｔ＿ｔｏｐ＿ｐｏｓ＿ｘ）、左上垂直位置（ｌｅｆｔ＿ｔｏｐ＿ｐｏｓ＿ｙ）、右下水平位置（ｒｉｇｈｔ＿ｄｏｗｎ＿ｐｏｓ＿ｘ）、右下垂直位置（ｒｉｇｈｔ＿ｄｏｗｎ＿ｐｏｓ＿ｙ）として「０」、「０」、「２０」、「１００」と指定されている。領域番号（ｒｅｇｉｏｎ＿ｎｕｍｂｅｒ）「２」に係る提示領域は、左上水平位置（ｌｅｆｔ＿ｔｏｐ＿ｐｏｓ＿ｘ）、左上垂直位置（ｌｅｆｔ＿ｔｏｐ＿ｐｏｓ＿ｙ）、右下水平位置（ｒｉｇｈｔ＿ｄｏｗｎ＿ｐｏｓ＿ｘ）、右下垂直位置（ｒｉｇｈｔ＿ｄｏｗｎ＿ｐｏｓ＿ｙ）として「２０」、「０」、「１００」、「２０」と指定されている。領域番号（ｒｅｇｉｏｎ＿ｎｕｍｂｅｒ）「０」、「１」、「２」に係る提示領域は、図１３に例示する映像Ｖ０１、文字Ｔ０１、文字Ｔ０２それぞれの提示領域に相当する。
【００３０】
（ＭＰＵ提示領域指定記述子の設定例）
図１０は、ＭＰＵ提示領域指定記述子の設定例を示す図である。図１０（ａ）は、図９（ａ）に示すデフォルトのレイアウトに対応する設定例を示す。本設定例では、レイアウト番号（ｌａｙｏｕｔ＿ｎｕｍｂｅｒ）、領域番号（ｒｅｇｉｏｎ＿ｎｕｍｂｅｒ）として、それぞれ「０」、「０」と指定されている。ＭＰＵシーケンス番号（ｍｐｕ＿ｓｅｑｕｅｎｃｅ＿ｎｕｍｂｅｒ）として、映像Ｖ０１に係るＭＰＵシーケンス番号が指定される。よって、映像Ｖ０１の提示領域として、ＬＣＴにおいてレイアウト番号（ｌａｙｏｕｔ＿ｎｕｍｂｅｒ）、領域番号（ｒｅｇｉｏｎ＿ｎｕｍｂｅｒ）が、それぞれ「０」、「０」である提示領域が指定される。即ち、映像Ｖ０１の提示領域は、メインデバイスの全表示領域となる。
【００３１】
図１０（ｂ）は、図９（ｂ）に示す有効なレイアウトに対応する設定例を示す。本設定例では、レイアウト番号（ｌａｙｏｕｔ＿ｎｕｍｂｅｒ）、領域番号（ｒｅｇｉｏｎ＿ｎｕｍｂｅｒ）として、それぞれ「１」、「０」の組、「１」、「１」の組、「１」、「２」の組が指定されている。ＭＰＵシーケンス番号（ｍｐｕ＿ｓｅｑｕｅｎｃｅ＿ｎｕｍｂｅｒ）として、「１」、「０」の組について映像Ｖ０１に係るＭＰＵシーケンス番号が、「１」、「１」の組について文字Ｔ０１に係るＭＰＵシーケンス番号が、「１」、「２」の組について文字Ｔ０２に係るＭＰＵシーケンス番号が、それぞれ指定されている。よって、映像Ｖ０１の提示領域として、ＬＣＴにおいてレイアウト番号（ｌａｙｏｕｔ＿ｎｕｍｂｅｒ）、領域番号（ｒｅｇｉｏｎ＿ｎｕｍｂｅｒ）が、それぞれ「１」、「０」である提示領域が指定される。文字Ｔ０１の提示領域として、ＬＣＴにおいてレイアウト番号（ｌａｙｏｕｔ＿ｎｕｍｂｅｒ）、領域番号（ｒｅｇｉｏｎ＿ｎｕｍｂｅｒ）が、それぞれ「１」、「１」である提示領域が指定される。文字Ｔ０２の提示領域として、ＬＣＴにおいてレイアウト番号（ｌａｙｏｕｔ＿ｎｕｍｂｅｒ）、領域番号（ｒｅｇｉｏｎ＿ｎｕｍｂｅｒ）が、それぞれ「１」、「２」である提示領域が指定される。なお、図１０のＭＰＵシーケンス番号（ｍｐｕ＿ｓｅｑｕｅｎｃｅ＿ｎｕｍｂｅｒ）の欄に記載された符号「Ｖ０１」、「Ｔ０１」、「Ｔ０２」は、いずれも説明の目的で記載されたものである。これらの符号は、実際にはＭＰＵシーケンス番号（ｍｐｕ＿ｓｅｑｕｅｎｃｅ＿ｎｕｍｂｅｒ）として指定されない。
【００３２】
（受信装置の構成）
次に、受信装置３１の構成について説明する。図１１は、本実施形態に係る受信装置３１の構成を示すブロック図である。受信装置３１は、受信部３１１（チューナー）、復号部３１２、分離部３１３、音声復号部３１４、再生部３１６、映像復号部３１７、表示合成部３１８、表示部３１９、記憶部３２２、操作入力部３２３、及び制御部３３１を含んで構成される。
【００３３】
受信部３１１は、送信装置１１が送信した放送波を、放送伝送路１２を介してアンテナ（図示せず）により受信する。受信部３１１は、受信した受信信号を制御部３３１から入力される選局信号で指定されるチャンネルの周波数でベースバンド信号にダウンコンバートすることにより多重化データに変換する。受信部３１１は、変換した多重化データを復号部３１２に出力する。
復号部３１２は、受信部３１１から入力された多重化データ（暗号化されている）を送信装置１１の暗号化部１１５で用いられた方式に対応する復号方式（例えば、ＡＥＳ）で復号し、復号した多重化データを生成する。復号部３１２は、生成した多重化データを分離部３１３に出力する。
【００３４】
分離部３１３は、復号部３１２から入力された多重化データを番組データ、文字データ及び構成情報に分離する。分離部３１３は、文字データと構成情報を制御部３３１に出力する。また、分離部３１３は、番組データから音声データと映像データを抽出する。分離部３１３は、抽出した音声データを音声復号部３１４に出力し、映像データを映像復号部３１７に出力する。
【００３５】
音声復号部３１４は、分離部３１３から入力された音声データを、符号化に用いられた符号化方式（例えば、ＭＰＥＧ−４  オーディオ）と対応する復号方式で復号し、元の音声データを生成する。復号した音声データは、各時刻における音声のレベルを示すデータである。音声復号部３１４は、復号した音声データを再生部３１６に出力する。
再生部３１６は、音声復号部３１４から入力された音声データが示す音声を再生する。再生部３１６は、例えば、スピーカを含んで構成される。
【００３６】
映像復号部３１７は、分離部３１３から入力された映像データを、符号化に用いられた符号化方式（例えば、ＨＥＶＣ）と対応する復号方式で入力された映像データを復号し、元の映像データを生成する。復号した映像データは、各時刻における映像（フレーム画像）を形成する信号値を示すデータである。映像復号部３１７は、復号した映像データを表示合成部３１８に出力する。
【００３７】
表示合成部３１８には、映像復号部３１７から映像データが入力され、制御部３３１から文字情報と提示領域情報が入力される。表示合成部３１８は、映像データが示す映像と、文字情報が示す文字を、提示領域情報で指定される提示領域に配置することにより表示用の映像（表示映像）を合成する。表示合成部３１８は、合成した表示映像を示す表示映像配置された映像、文字を表す表示映像データを表示部３１９に出力する。
なお、表示合成部３１８に制御部３３１から各種の画像（例えば、通知画像（後述）、設定メニュー画面、等）を示す画像データが入力される場合がある。その場合、表示合成部３１８は、入力された画像データが示す画像を上述の表示映像にさらに重ね合わせる。
表示部３１９は、表示合成部３１８から入力された表示映像データに基づく表示映像を表示する。表示部３１９は、ディスプレイ、例えば、液晶ディスプレイ、有機ＥＬ（Ｅｌｅｃｔｒｏｌｕｍｉｎｅｓｃｅｎｃｅ）ディスプレイ、等を含んで構成される。表示部３１９には、提示領域情報で指定される提示領域において指定された提示要素（映像、文字）が表示される。
【００３８】
記憶部３２２は、各種のデータを記憶する。記憶部３２２には、例えば、文字領域設定データ（後述）、通知画像データ（後述）、等を予め記憶させておく。記憶部３２２は、記憶媒体、例えば、ＨＤＤ（Ｈａｒｄ−ｄｉｓｋ  Ｄｒｉｖｅ）、フラッシュメモリ、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）又はそれらの組み合わせを含んで構成される。
操作入力部３２３は、ユーザによる操作入力を受け付けて生成される操作信号を取得し、取得した操作信号を制御部３３１に出力する。操作信号は、例えば、電源のオン／オフを示す信号、放送波のチャンネルを示す信号、提示要素（文字、映像）の大きさを指定する信号、がある。操作入力部３２３は、例えば、操作ボタン、遠隔操作機器（リモコン）から操作信号を受信する入力インタフェース、等である。
【００３９】
制御部３３１は、受信装置３１の種々の動作を制御する。例えば、制御部３３１は、分離部３１３から文字データと構成情報を取得する。制御部３３１は、取得した構成情報から文字データに含まれる文字情報、映像データが示す映像それぞれの提示領域を示す配置情報を抽出する。制御部３３１は、有効な配置情報が取得されたとき、提示領域が操作に応じて可変であることを示す通知画像データ（文字領域設定ガイダンス）を記憶部３２２から読み取り、読み取った通知画像データを表示合成部３１８に出力する。通知画像データの例については、後述する。制御部３３１は、文字の提示領域を操作入力部３２３から入力された操作信号に基づいて変更する。制御部３３１は、文字情報と表示要素（映像、文字）毎の提示領域を示す提示領域情報とを表示合成部３１８に出力する。
【００４０】
（制御部の構成）
次に、本実施形態に係る受信装置３１の制御部３３１の構成について説明する。図１２は、本実施形態に係る制御部３３１の構成を示すブロック図である。制御部３３１は、文字データ取得部３３２、設定情報検出部３３３、配置情報取得部３３４、通知部３３５、表示制御部３３６及び選局部３３７を含んで構成される。
【００４１】
文字データ取得部３３２は、分離部３１３から入力される文字データを検出する。具体的には、文字データ取得部３３２は、分離部３１３から入力された構成情報からＭＰＴを検出し、検出したＭＰＴのアセットタイプ（ａｓｓｅｔ＿ｔｙｐｅ）にタイムドテキストを示すｓｔｐｐが記述されているストリームを特定する。文字データ取得部３３２は、特定したストリームのアセット記述子領域（ａｓｓｅｔ＿ｄｅｓｃｒｉｐｔｏｒｓ＿ｂｙｔｅ）から、ＭＨ−データ符号化方式記述子（ＭＨ−Ｄａｔａ＿Ｃｏｍｐｏｎｅｎｔ＿Ｄｅｓｃｒｉｐｔｏｒ（））を読み取る。
【００４２】
文字データ取得部３３２は、読み取ったＭＨ−データ符号化方式記述子（ＭＨ−Ｄａｔａ＿Ｃｏｍｐｏｎｅｎｔ＿Ｄｅｓｃｒｉｐｔｏｒ（））のデータ符号化方式識別（ｄａｔａ＿ｃｏｍｐｏｎｅｎｔ＿ｉｄ）に記述されている符号が示す符号化方式（例えば、デジタル放送における字幕符号化方式）を特定する。文字データ取得部３３２は、ＭＨ−データ符号化方式記述子（ＭＨ−Ｄａｔａ＿Ｃｏｍｐｏｎｅｎｔ＿Ｄｅｓｃｒｉｐｔｏｒ（））の付加識別情報（ａｄｄｉｔｉｏｎａｌ＿ｄａｔａ＿ｃｏｍｐｏｎｅｎｔ＿ｉｎｆｏ）から字幕識別タグ（ｓｕｂｔｉｔｌｅ＿ｔａｇ）及び開始ＭＰＵシーケンス番号（ｓｔａｒｔ＿ｍｐｕ＿ｓｅｑｕｅｎｃｅ＿ｎｕｍｂｅｒ）を読み取る。
【００４３】
文字データ取得部３３２は、読み取った字幕識別タグ（ｓｕｂｔｉｔｌｅ＿ｔａｇ）を含むＭＰＵのうちシーケンス番号が、開始ＭＰＵシーケンス番号（ｓｔａｒｔ＿ｍｐｕ＿ｓｅｑｕｅｎｃｅ＿ｎｕｍｂｅｒ）以降のＭＰＵを入力する。そして、文字データ取得部３３２は、入力したＭＰＵのそれぞれについて、データタイプ（ｄａｔａ＿ｔｙｐｅ）に符号‘００００’が記述されているＭＦＵを特定する。文字データ取得部３３２は、特定した各ＭＦＵのデータバイト（ｄａｔａ＿ｂｙｔｅ）からＴＴＭＬ記述方式で記述された文字データを読み取る。文字データ取得部３３２は、読み取った文字データを設定情報検出部３３３に出力する。
【００４４】
設定情報検出部３３３は、文字データ取得部３３２から入力された文字データから、所定の文字列（開始タグ、終了タグ）で囲まれた領域に記述された設定情報を検出し、当該所定の文字列の配置に基づいて設定情報毎の適用対象の文字情報を特定する。設定情報検出部３３３は、検出した設定情報と特定した文字情報を表示制御部３３６に出力する。
【００４５】
配置情報取得部３３４には、分離部３１３から入力された構成情報からＬＣＴ（配置情報）を抽出する。配置情報取得部３３４は、抽出したＬＣＴを解析して表示要素（文字、映像）毎の提示領域を特定する。具体的には、配置情報取得部３３４は、ＬＣＴに記述されたレイアウト番号（ｌａｙｏｕｔ＿ｎｕｍｂｅｒ）、デバイスＩＤ（ｄｅｖｉｃｅ＿ｉｄ）及び領域番号（ｒｅｇｉｏｎ＿ｎｕｍｂｅｒ）の組毎に提示領域として、左上水平位置（ｌｅｆｔ＿ｔｏｐ＿ｐｏｓ＿ｘ）、左上垂直位置（ｌｅｆｔ＿ｔｏｐ＿ｐｏｓ＿ｙ）、右下水平位置（ｒｉｇｈｔ＿ｄｏｗｎ＿ｐｏｓ＿ｘ）、右下垂直位置（ｒｉｇｈｔ＿ｄｏｗｎ＿ｐｏｓ＿ｙ）を特定する。配置情報取得部３３４は、デバイスＩＤ（ｄｅｖｉｃｅ＿ｉｄ）により、出力先として、例えば、表示部３１９に接続された表示合成部３１８を特定する。他方、配置情報取得部３３４は、分離部３１３から入力された構成情報のうちＭＰＴのアセット記述子領域に記述されたＭＰＵ提示領域指定記述子（ＭＰＵ＿Ｐｒｅｓｅｎｔａｔｉｏｎ＿Ｒｅｇｉｏｎ＿Ｄｅｓｃｒｉｐｔｏｒ（））を検出する。配置情報取得部３３４は、検出したＭＰＵ提示領域指定記述子からレイアウト番号（ｌａｙｏｕｔ＿ｎｕｍｂｅｒ）及び領域番号（ｒｅｇｉｏｎ＿ｎｕｍｂｅｒ）の組毎に、表示要素を示すデータ（文字データ、映像データ）を格納したＭＰＵのＭＰＵシーケンス番号（ｍｐｕ＿ｓｅｑｕｅｎｃｅ＿ｎｕｍｂｅｒ）を特定する。配置情報取得部３３４は、レイアウト番号（ｌａｙｏｕｔ＿ｎｕｍｂｅｒ）及び領域番号（ｒｅｇｉｏｎ＿ｎｕｍｂｅｒ）の組で特定される表示要素毎の提示領域を示す提示領域情報を通知部３３５と表示制御部３３６に出力する。提示領域情報には、表示要素毎にレイアウト番号（ｌａｙｏｕｔ＿ｎｕｍｂｅｒ）で表される提示属性情報（例えば、デフォルト、有効、等の区別）が含まれる。
【００４６】
通知部３３５は、配置情報取得部３３４から入力された提示領域情報に基づいて提示領域毎の提示属性情報を特定する。通知部３３５は、少なくとも１つの提示領域について有効であることを示す提示属性情報が含まれているか否かを判定する。これにより、取得されたＬＣＴが有効であるか否かが判定される。ＬＣＴが有効であると判定された場合、通知画像データを記憶部３２２から読み取り、読み取った通知画像データを表示合成部３１８に出力する。ＬＣＴが「有効」とは、表示対象の表示要素（映像、文字）を当該ＬＣＴで指定された提示領域へ即時に表示することが指示されていることを意味する。よって、ＬＣＴが有効と判定された場合、通知画像（ガイダンス画像）を表示部３１９に表示させることにより、文字の提示領域が操作により表示領域が変更可能であることが直ちに視聴者に通知される。
【００４７】
通知画像が表示部３１９に表示される契機は、主に次の場合である。（１）視聴者が同一のチャンネルで放送番組を視聴している場合において、有効な提示領域を含むＬＣＴが受信されたとき。（２）視聴者が有効な提示領域を含むＬＣＴを受信するチャンネルに変更したとき。（３）受信装置３１の動作開始直後に有効な提示領域を含むＬＣＴが受信されたとき。なお、通知部３３５は、当該通知画像の表示開始後、所定期間（例えば、３０秒間）操作信号が入力されないとき当該通知画像を消去してもよい。通知部３３５は、通知画像が表示部３１９に表示されていない場合、操作入力部３２３から所定の操作信号（例えば、通知画像表示ボタンの押下による操作信号）が入力されたことに応じて通知画像を表示部３１９に表示させてもよい。
【００４８】
表示制御部３３６は、配置情報取得部３３４から入力された表示要素毎の提示領域を示す提示領域情報と、設定情報検出部３３３から入力された設定情報を、操作入力部３２３から入力された操作信号に基づいて更新する。ここで、表示制御部３３６は、操作入力部３２３は、操作信号で指定される文字領域サイズに対応する設定情報と提示領域の倍率を記憶部３２２に記憶された文字領域設定データから読み取る。表示制御部３３６は、操作信号で指定される文字情報について、入力された設定情報を読み取った設定情報に更新する。表示制御部３３６は、操作信号で指定される表示要素について、入力された提示領域情報が示す提示領域に読み取った比率を乗算し、乗算によって得られた提示領域に更新する。
【００４９】
なお、表示部３１９の全表示領域において表示要素間で提示領域が重複せず、かつ、全表示要素の提示領域が全表示領域を超えないように、表示制御部３３６は、指定される表示要素以外の提示領域の大きさを更新する。例えば、表示制御部３３６は、指定された表示要素の提示領域を拡大した場合には、指定外の表示要素の提示領域を縮小し、指定された表示要素の提示領域を縮小した場合には、指定外の表示要素の提示領域を拡大する。なお、指定される表示要素以外の提示領域が文字の提示領域である場合には、表示制御部３３６は、その文字情報に係る設定情報が指定するフォントサイズを、提示領域の更新に応じたフォントサイズを示す設定情報に更新する。つまり、提示領域の拡大又は縮小に応じて、より大きい又はより小さいフォントサイズを示す設定情報に変更する。
【００５０】
表示制御部３３６は、更新した表示要素毎の提示領域を示す提示領域情報と、更新した設定情報と対応する文字情報とを表示合成部３１８に出力する。出力される設定情報により、表示合成部３１８が、設定対象の文字を提示領域情報が指示する提示領域内に配置する際のフォントサイズが指示される。なお、表示制御部３３６は、提示領域情報や設定情報の更新を行わない場合には、入力された提示領域情報と設定情報を表示合成部３１８に出力する。
【００５１】
選局部３３７は、操作入力部３２３から入力された操作信号により放送波を受信するチャンネルを選択する。選局部３３７は、選択したチャンネルを示す選局信号を受信部３１１に出力する。
【００５２】
（表示映像の例）
次に、表示部３１９に表示された表示映像の例について説明する。図１３は、表示映像の一例を示す図である。図１３に示す例では全表示領域が、３つの提示領域で区分される。３つの提示領域は、図９（ｂ）に示す領域番号（ｒｅｇｉｏｎ＿ｎｕｍｂｅｒ）「０」、「１」、「２」により指定される提示領域であり、それぞれ文字Ｔ０１、Ｔ０２及び映像Ｖ０１に割り当てられている。また、表示領域の右下には、通知画像Ｇ０１が重ね合わされている。通知画像Ｇ０１が表示されることにより、視聴者は文字が表示された提示領域が操作により可変であることに気付くことができる。
【００５３】
（通知画像）
図１４は、通知画像の一例（通知画像Ｇ０１）を示す図である。通知画像は、その表題「文字領域設定」と、４つの文字領域サイズの選択肢「縮小」、「標準」、「拡大１」、「拡大２」を含む。「縮小」は、ＬＣＴで指定された文字の提示領域のサイズより小さい文字領域サイズを示す。「標準」は、ＬＣＴで指定された文字領域サイズを示す。「拡大１」は、ＬＣＴで指定された文字領域サイズよりも大きい文字領域サイズを示す。「拡大２」は、「拡大１」よりもさらに大きい文字領域サイズを示す。通知画像Ｇ０１が表示されているとき、ユーザの操作により、いずれかの選択肢に対応する文字領域サイズが選択可能である。「標準」の直前の黒丸は選択された文字領域サイズを示す記号である。表示制御部３３６は、操作信号が入力される毎に選択肢を巡回的に変更し、変更により選択された文字領域サイズで指定された提示領域に表示対象の文字が表示される。
【００５４】
（文字領域設定データ）
次に、文字領域設定データの例について説明する。図１５は、文字領域設定データの一例を示す図である。各列に、文字領域サイズ毎のフォントサイズと文字領域の比率が対応付けられている。文字領域サイズは、通知画像の表示により選択される文字領域サイズである。各行のフォントサイズの項目は、設定情報で指定される文字のフォントサイズ（単位：ポイント）である。フォント最下行の文字領域の比率は、ＬＣＴで指定された文字の提示領域を基準とした提示領域の倍率である。例えば、操作信号により文字領域サイズ「小」が選択されたとき、ＬＣＴで指定された提示領域の７０％の大きさの提示領域が文字に割り当てられ、設定情報が示すフォントサイズが大（ｌａｒｇｅ）である場合には、１２ポイントの大きさで当該文字が表示される。
【００５５】
（提示領域の変更例）
次に、提示領域の変更例について説明する。図１６は、表示映像の他の例を示す図である。図１６（ａ）は、図１４に示す表示映像が表示されているときに文字領域サイズとして「大」が選択された場合の表示例である。図１６（ａ）に示す例は、文字Ｔ０１が割り当てられている領域番号「１」の水平方向の幅、文字Ｔ０２が割り当てられている領域番号「２」の垂直方向の高さがそれぞれ、ＬＣＴで指定された文字領域の１２０％である。なお、文字Ｔ０１やその提示領域を単純に指定された比率で拡大すると、文字Ｔ０１が１行に収まらなくなるため、文字Ｔ０１が２列にわたって収まるように提示領域の幅がさらに拡大されている。このように、表示制御部３３６は、拡大により文字が指定された比率で拡大した提示領域に収まらない場合には、さらに提示領域を拡大してもよいし、指定された比率で拡大した提示領域に収まるように文字の大きさを調整してもよい。
図１６（ｂ）は、図１４に示す表示映像が表示されているときに文字領域サイズとして「小」が選択された場合の表示例である。図１６（ｂ）に示す例は、文字Ｔ０１が割り当てられている領域番号「１」の水平方向の幅、文字Ｔ０２が割り当てられている領域番号「２」の垂直方向の高さがそれぞれ、ＬＣＴで指定された文字領域の７０％である。
【００５６】
（受信処理）
次に、本実施形態に係る受信処理について説明する。図１７は、本実施形態に係る受信処理を示すフローチャートである。
（ステップＳ１０１）分離部３１３（図１１）は、放送波で伝送された多重化信号から番組データ及び文字データを抽出し、番組データから映像データを取得する。文字データ取得部３３２は、分離部３１３から文字データを取得する。その後、ステップＳ１０２に進む。
（ステップＳ１０２）分離部３１３は、放送波で伝送された多重化信号から構成情報を抽出する。配置情報取得部３３４は、構成情報からＬＣＴ（配置情報）を抽出（取得）する。その後、ステップＳ１０３に進む。
【００５７】
（ステップＳ１０３）通知部３３５は、ＬＣＴ（配置情報）に含まれたレイアウト番号に基づいて当該ＬＣＴが有効であるか否かを判定する。有効であると判定する場合には（ステップＳ１０３  ＹＥＳ）、ステップＳ１０４に進み、含まれていないと判定する場合には（ステップＳ１０３  ＮＯ）、ステップＳ１０８に進む。
（ステップＳ１０４）表示制御部３３６は、有効と判定されたＬＣＴ（配置情報）で指定される提示領域に表示要素（文字、映像）を表示部３１９に表示させる。その後、ステップＳ１０５に進む。
（ステップＳ１０５）通知部３３５は、表示合成部３１８を介して通知画像（文字設定領域ガイダンス）を表示部３１９に表示させる。その後、ステップＳ１０６に進む。
【００５８】
（ステップＳ１０６）表示制御部３３６は、文字領域サイズを指定する操作信号が入力される場合には（ステップＳ１０６  ＹＥＳ）、ステップＳ１０７に進み、入力されない場合には（ステップＳ１０６  ＮＯ）、図１７に示す処理を終了する。
（ステップＳ１０７）表示制御部３３６は、文字の提示領域を指定された文字領域サイズに応じた提示領域に変更し、全画面領域内に各表示領域の提示領域が納まるように映像の提示領域を変更する。表示制御部３３６は、変更した提示領域に各表示要素（文字、映像）を表示部３１９に表示させる。その後、図１７に示す処理を終了する。
（ステップＳ１０８）表示制御部３３６は、デフォルトのＬＣＴ（配置情報）で指定される提示領域に表示要素（文字、映像）を表示部３１９に表示させる。その後、図１７に示す処理を終了する。
【００５９】
（変形例）
次に、本実施形態の変形例について説明する。一般に、表示部３１９の表示領域の大きさは、その機種によって異なる。ＬＣＴで指定された提示領域や設定情報で指定されたフォントサイズで文字を表示させると、表示領域が大きいほど文字が大きく表示され、表示領域が小さいほど文字が小さく表示される。
そこで、通知部３３５は、設定情報検出部３３３から入力された設定情報が示す文字の大きさが、所定の文字の大きさの範囲外である場合に、通知画像データを表示合成部３１８に出力してもよい。所定の文字の大きさの範囲外とは、例えば、所定のフォントサイズの大きさよりも設定情報が示すフォントサイズが小さい場合と大きい場合の一方又は両方である。これにより、文字の大きさが所定の大きさの範囲外である場合に、文字領域が設定可能であることを視聴者に気付かせることができる。
【００６０】
また、表示制御部３３６は、更新した設定情報が示すフォントサイズ、提示領域に、さらに予め設定された表示領域の大きさの基準値ｄの、表示部３１９から入力された機器情報で指定される表示領域の大きさｄ’に対する比ｄ／ｄ’をそれぞれ乗算してもよい。乗算により得られるフォントサイズ、提示領域を用いることで、表示部３１９の大きさによる文字領域の大きさをほぼ一定にすることができる。
【００６１】
また、記憶部３２２には、複数セットの文字領域設定データを予め記憶しておく。各セットは、表示部３１９の表示領域の大きさの区分に対応づけられ、各セットの文字領域設定データには、表示領域が大きいほど小さいフォントサイズ及び小さい文字領域の比率が設定されている。表示制御部３３６は、動作開始時又は表示部３１９との接続時に、表示部３１９から入力された機器情報に基づいて利用すべきセットの文字領域設定データを複数セットの中から選択してもよい。この構成によっても、表示部３１９の大きさによる文字領域の大きさの変化を緩和することができる。例えば、図１８に示すように表示部３１９の表示領域の大きさが基準値よりも大きい場合において、表示される文字の大きさは、表示部３１９の表示領域の大きさが基準値である場合と同等になる。
【００６２】
なお、操作信号で指定された文字領域サイズによって変更された文字の提示領域が表示部３１９の全表示領域を超える場合がある。その場合には、表示制御部３３６は、例えば、当該提示領域を全表示領域の範囲内に定めてもよいし、スクロール操作により文字の提示領域の全体を表示可能にしてもよい。その場合には、表示制御部３３６は、記憶部３２２から読み取ったスクロールバーを表すスクロールバーデータを表示合成部３１８に出力し、スクロールバーを表示部３１９に表示させる。また、表示制御部３３６は、提示領域のうち、スクロール操作による操作信号に基づいて出力すべき出力領域を特定し、特定した出力領域を示す出力領域信号を表示合成部３１８に出力する。表示合成部３１８は、生成した表示映像から出力領域信号で指定された出力領域の部分を抽出し、抽出した部分の表示映像を示す表示映像データを表示部３１９に出力する。
【００６３】
以上に説明したように、本実施形態に係る受信装置３１は、放送波で受信データを受信する受信部３１１と、受信データから文字を含む表示要素と、表示要素の提示領域を示す配置情報を取得する取得部（分離部３１３、文字データ取得部３３２、配置情報取得部３３４）とを備える。また、受信装置３１は、有効な配置情報が取得されたとき、提示領域が操作に応じて可変であることを通知する通知部３３５と、当該表示要素の提示領域を配置情報が示す提示領域から操作に応じて変更する表示制御部３３６とを備える。
この構成により、有効な配置情報が示す提示領域に表示要素が表示され、操作に応じて可変であることがユーザに通知される。そのため、放送事業者等が設定した表示要素の提示領域を尊重したうえで、操作によりユーザ所望の提示領域に調整することができる。
【００６４】
また、通知部３３５は、受信した文字の大きさが所定の大きさの範囲外であるとき、提示領域が操作に応じて可変であることの通知を表示部３１９に表示させる。
この構成により、文字の大きさが所定の範囲外であるとき、ユーザには提示領域の大きさを所望の大きさに変更するための操作が促される。
【００６５】
また、表示制御部３３６は、文字を含む表示要素を表示する表示部３１９の表示領域が大きいほど、当該文字の大きさの表示部３１９の表示領域の大きさに対する比率を小さくする。この構成により、表示部３１９の機種による表示領域の大きさの差異よりも、表示される文字の大きさの差異が緩和される。
【００６６】
（第２の実施形態）
次に、本発明の第２の実施形態について説明する。上述した実施形態と同一の構成については、同一の符号を付してその説明を援用する。本実施形態に係る受信装置３１Ａは、同時に複数チャンネルの放送波を受信し、それぞれ受信した文字データの表示領域に係る処理が第１の実施形態とは異なる。図１９は、本実施形態に係る受信装置３１Ａの構成を示すブロック図である。受信装置３１Ａは、受信装置３１において制御部３３１に代え（図１１）、制御部３３１Ａを備える。また、受信装置３１Ａは、受信部３１１、復号部３１２、分離部３１３、音声復号部３１４及び映像復号部３１７に代え、それぞれ異なる放送伝送路１２Ａ、１２Ｂの複数チャンネルの放送波を受信するための構成を備える。受信装置３１Ａは、かかる構成として、受信部３１１Ａ、３１１Ｂ、復号部３１２Ａ、３１２Ｂ、分離部３１３Ａ、３１３Ｂ、音声復号部３１４Ａ、３１４Ｂ及び映像復号部３１７Ａ、３１７Ｂを含んで構成される。
【００６７】
受信部３１１Ａ、３１１Ｂ、復号部３１２Ａ、３１２Ｂ、分離部３１３Ａ、３１３Ｂ、音声復号部３１４Ａ、３１４Ｂ及び映像復号部３１７Ａ、３１７Ｂの構成は、それぞれ受信部３１１、復号部３１２、分離部３１３、音声復号部３１４、映像復号部３１７の構成と同様である。例えば、受信部３１１Ａ、３１１Ｂは、それぞれ制御部３３１Ａから入力された選局信号で指示されたチャンネルの放送波を受信する。受信部３１１Ａ、３１１Ｂは、それぞれ変換した多重化データを復号部３１２Ａ、３１２Ｂに出力する。
制御部３３１Ａは、図２０に示すように、制御部３３１（図１１）に表される表示制御部３３６（図１２）に代え、表示制御部３３６Ａを備える。なお、文字データ取得部３３２、設定情報検出部３３３、配置情報取得部３３４及び通知部３３５は、それぞれ、分離部３１３Ａ、３１３Ｂからの各種のデータについて図１２を用いて説明した処理をチャンネル毎に実行する。選局部３３７は、操作入力部３２３から入力された操作信号により受信するチャンネルを複数個選択することができる。選局部３３７は、選択したチャンネルのそれぞれを示す選局信号を受信部３１１Ａ、３１１Ｂに出力する。
【００６８】
表示制御部３３６Ａは、図２１（ａ）の表示映像に例示するように、放送波を受信しているチャンネル毎の表示領域（ウィンドウ）Ｗ２１Ａ、Ｗ２１Ｂを定める。表示制御部３３６Ａは、各チャンネルで定めた表示領域それぞれについて、当該チャンネルの放送波で伝送されたＬＣＴならびにＭＰＵ提示領域指定記述子に基づいて各表示要素（文字Ｔ２１Ａ、Ｔ２２Ａ、映像Ｖ２１Ａ、Ｖ２１Ｂ）の提示領域を表示制御部３３６（図１２）と同様な手法で識別する。識別した提示領域に割り当てられる表示要素は、当該表示要素を格納するＭＰＵのＭＰＵシーケンス番号により特定される。また、通知部３３５は、チャンネル毎のＬＣＴが有効であるか否かを判定し、有効なＬＣＴを検出したチャンネルについて、通知画像Ｇ２１を当該チャンネルの表示領域Ｗ２１Ａ内に表示させる。表示制御部３３６Ａは、操作入力部３２３から入力された操作信号で指定された文字領域サイズに基づいて各表示要素の提示領域を更新する。図２１（ｂ）に示す例では、文字Ｔ２１Ａ、Ｔ２２Ａの提示領域が図２１に示す例よりも拡大され、映像Ｖ２１Ａの提示領域は、当該チャンネルの表示領域Ｗ２１Ａの残りの領域に定められ、図２１（ａ）に示す例よりも縮小される。なお、いずれのチャンネルについても有効なＬＣＴが検出された場合には、図２１（ｃ）に示すように、通知部３３５は、各チャンネルの表示領域Ｗ２１Ａ、Ｗ２１Ｂに通知画像Ｇ２１Ａ、Ｇ２１Ｂをそれぞれ表示させる。なお、図２１（ｃ）に示す例では、表示領域Ｗ２１Ｂに文字Ｔ２１Ｂ、Ｔ２２Ｂの提示領域が含まれる。
【００６９】
図２１に示すように、各チャンネルの表示領域Ｗ２１Ａ、Ｗ２１Ｂのアスペクト比は、チャンネル間で一定であり、チャンネル数の増減に関わらず一定である。また、チャンネル間で表示領域Ｗ２１Ａ、Ｗ２１Ｂの大きさが等しい。そのため、表示部３１９の全表示領域には、いずれのチャンネルの表示領域Ｗ２１Ａ、Ｗ２１Ｂも割り当てられない空き領域が生じる。空き領域の大きさの高さ、幅は、少なくとも１つのチャンネルの表示領域の高さ、幅よりも大きい。
【００７０】
そこで、表示制御部３３６Ａは、図２２（ａ）に示すように、操作入力部３２３（図１９）から入力された操作信号に応じて、文字Ｔ２１Ａ、Ｔ２２Ａの提示領域を空き領域内に新たに設定した表示領域Ｗ２１Ｃ内のＬＣＴで指定される提示領域に変更する。但し、表示制御部３３６Ａは、映像Ｖ２１Ａ、Ｖ２１Ｂの提示領域をそれぞれのチャンネルの表示領域Ｗ２１Ａ、Ｗ２１Ｂに維持する。そして、表示制御部３３６Ａは、映像Ｖ２１の提示領域を表示領域Ｗ２１Ａ全体に拡大する。また、表示制御部３３６Ａは、表示領域Ｗ２１Ｃ内に設定する提示領域の大きさを、ＬＣＴで指定される大きさとは異なる提示領域の大きさを操作信号に基づいて定めてもよい。図２２（ｂ）に示す例では、文字Ｔ２１Ａ、Ｔ２２Ａの提示領域が、図２２（ａ）に示す例よりも拡大されている。
【００７１】
本実施形態では、表示制御部３３６Ａは、操作信号により文字領域サイズの他、文字の提示領域を空き領域において当該チャンネルの表示領域とは別個の表示領域（別画面）内に変更するか否かが指定される。図２３に示すように、本実施形態に係る通知画像Ｇ０１では、文字領域サイズと、別画面を指定するか否かの組が選択肢として示される。図２３に示す例では、４種類の文字領域サイズ「小」、「標準」、「拡大１」、「拡大２」と、別画面の指定あり（別画面）と指定なし、の計８通りの選択肢がある。操作入力部３２３から入力された操作信号によりこれらの選択肢のいずれかが選択され、表示制御部３３６Ａは、選択された文字領域サイズ、別画面の指定の有無に基づいて、操作対象のチャンネルの表示要素毎の提示領域を更新する。
【００７２】
本実施形態では、図２４に示すように複数のチャンネルのいずれにも別個の表示領域が設定されることがある。ここで、表示制御部３３６Ａ（図２０）は、あるチャンネルについて設定される別個の表示領域（例えば、Ｗ２１Ｃ）を、他のチャンネルの原表示領域（例えば、Ｗ２１Ｂ）よりも当該チャンネルの原表示領域（例えば、Ｗ２１Ａ）に近接した空き領域に設定する。よって、同一のチャンネルで伝送された表示要素同士が近接して表示される。
【００７３】
また、表示制御部３３６Ａは、サービス種別が字幕放送である文字データが示す文字と、当該文字データと同期した映像データが示す映像とを共通の態様で表示部３１９に表示させてもよい。ここで、文字データ取得部３３２は、分離部３１３から入力された構成情報からＭＰＴを検出し、検出したＭＰＴからＭＨ−データ符号化方式記述子（ＭＨ−Ｄａｔａ＿Ｃｏｍｐｏｎｅｎｔ＿Ｄｅｓｃｒｉｐｔｏｒ（））の付加識別情報（ａｄｄｉｔｉｏｎａｌ＿ｄａｔａ＿ｃｏｍｐｏｎｅｎｔ＿ｉｎｆｏ）に記述された字幕タイプ（ｔｙｐｅ）に基づいてサービス種別を判定することができる。図２４に示すように、表示制御部３３６Ａは、例えば、表示部３１９の全画面領域の中央部を通り垂直方向に延在する境界線Ｂ２１を表示させてもよい。境界線Ｂ２１により、表示領域Ｗ２１Ａ、Ｗ２１Ｃと、表示領域Ｗ２１、Ｗ２１Ｄとが区分される。サービス種別が字幕放送と判定された文字Ｔ２３Ａの提示領域を含む表示領域Ｗ２１Ｃと、文字Ｔ２３Ａと同期した映像Ｖ２１Ａの提示領域を含む表示領域Ｗ２１Ａとは、ともに境界線Ｂ２１の左側の領域に配置される。境界線Ｂ２１の表示により、左側の領域は、表示領域Ｗ２１Ｂ、Ｗ２１Ｄが表示される右側の領域とは明確に区別して視認されるので、ユーザは、字幕放送に係る文字Ｔ２３Ａと映像Ｖ２１Ａとの関連性を直感的に認識することができる。なお、表示制御部３３６Ａは、共通の態様として、文字、映像それぞれの提示領域又はその提示領域を含む表示領域の枠線の色、太さ、線種（実線、破線、一点破線等）、等を共通にしてもよい。
【００７４】
以上に説明したように、本実施形態に係る受信装置３１Ａにおいて、受信部３１１Ａ、３１１Ｂは複数チャンネルの放送波で受信データをそれぞれ受信する。また、表示制御部３３６Ａは、複数チャンネルの表示領域を定め、少なくとも１チャンネルの受信データから取得された文字の提示領域を、操作に応じて当該チャンネルの表示領域内から複数チャンネルの表示領域外である空き領域に変更し、当該チャンネルの受信データから取得された映像の提示領域を当該チャンネルの表示領域内に維持する。
この構成により、複数チャンネルの表示領域間でアスペクト比が等しいことによって生じた空き領域内に、操作により指示された文字の提示領域が任意に変更され、当該文字と同一の表示領域内の映像の提示領域を当該表示領域の全体に拡大することができる。そのため、ユーザは、映像とは別個の領域にすることで文字を容易に視認することができ、映像を拡大することで映像も容易に視認することができる。
【００７５】
また、本実施形態において、少なくとも１チャンネルの受信データから取得された文字が当該チャンネルの受信データから取得された映像と同期する字幕放送の文字であるとき、表示制御部３３６Ａは、当該文字と当該映像とを共通の態様で表示させる。
この構成により、ユーザは、当該文字と当該映像の関連性を直感的に把握することができ、当該文字による当該映像による放送内容をより理解することができる。
【００７６】
なお、本発明は上述した各実施形態に限定されるものではなく、特許請求の範囲に示した範囲で種々の変更が可能であり、異なる実施形態にそれぞれ開示された技術的構成を適宜組み合わせて得られる実施形態についても本発明の技術的範囲に含まれる。
また、本発明の各構成要素は、任意に取捨選択することができ、取捨選択した構成を具備する発明も本発明に含まれるものである。
【００７７】
例えば、受信装置３１において、再生部３１６、表示部３１９は、その他の構成部と別体に構成されてもよい。また、上述では、受信装置３１Ａが２チャンネルの放送波を受信可能である構成を例にしたが、これには限られない。受信装置３１Ａは、３チャンネル以上の放送波を受信可能であってもよい。
上述した実施形態では、各種のデータを伝送するための伝送方式として、ＭＰＥＧ−Ｈで規定されたＭＭＴ（ＭＰＥＧ  Ｍｅｄｉａ  Ｔｒａｎｓｐｏｒｔ）によるメディアトランスポート方式が用いる場合を例にしたが、その他の伝送方式、例えば、ＭＰＥＧ−２  Ｓｙｓｔｅｍｓで規定された方式が用いられてもよい。また、伝送に係るデータ形式、暗号化方式、符号化方式も、その伝送方式で規定された形式または方式が用いられてもよい。
【００７８】
また、上述した実施形態における送信装置１１の一部、受信装置３１の一部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、認識データ伝送装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバーやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【００７９】
なお、本発明は次の態様でも実施することができる。
（１）放送波で受信データを受信する受信部と、前記受信データから文字を含む表示要素と、前記表示要素の提示領域を示す配置情報を取得する取得部と、有効な配置情報が取得されたとき、前記提示領域が操作に応じて可変であることを通知する通知部と、前記表示要素の提示領域を前記配置情報が示す提示領域から操作に応じて変更する表示制御部と、を備える受信装置。
【００８０】
（２）前記通知部は、前記文字の大きさが所定の大きさの範囲外であるとき、前記通知を表示部に表示させる（１）の受信装置。
【００８１】
（３）前記表示制御部は、前記表示要素を表示する表示部の表示領域が大きいほど、前記文字の大きさの前記表示部の表示領域の大きさに対する比率を小さくする（１）又は（２）の受信装置。
【００８２】
（４）前記受信部は、複数チャンネルの放送波でそれぞれの受信データを受信し、
前記表示制御部は、前記複数チャンネルの表示領域を定め、少なくとも１チャンネルの受信データから取得された文字の提示領域を、操作に応じて当該チャンネルの表示領域内から前記複数チャンネルの表示領域外に変更し、前記少なくとも１チャンネルの受信データから取得された映像の提示領域を当該チャンネルの表示領域内に維持する（１）から（３）のいずれかの受信装置。
【００８３】
（５）前記少なくとも１チャンネルの受信データから取得された文字が当該チャンネルの受信データから取得された映像と同期するとき、前記表示制御部は、当該文字と当該映像とを共通の態様で表示させる（４）の受信装置。
【００８４】
（６）受信装置の受信方法であって、受信部が放送波で受信した受信データから文字を含む表示要素と、前記表示要素の提示領域を示す配置情報を取得する取得過程と、有効な配置情報が取得されたとき、前記提示領域が操作に応じて可変であることを通知する通知過程と、前記表示要素の提示領域を前記配置情報が示す提示領域から操作に応じて変更する表示制御過程と、を有する受信方法。
【００８５】
（７）受信装置のコンピュータに、受信部が放送波で受信した受信データから文字を含む表示要素と、前記表示要素の提示領域を示す配置情報を取得する取得手順、有効な配置情報が取得されたとき、前記提示領域が操作に応じて可変であることを通知する通知手順、前記表示要素の提示領域を前記配置情報が示す提示領域から操作に応じて変更する表示制御手順、を実行させるためのプログラム。
【００８６】
（８）（７）のプログラムを記憶したコンピュータ読み取り可能な記憶媒体。
【符号の説明】
【００８７】
１…放送システム、１１…送信装置、１１１…番組データ取得部、１１２…文字データ取得部、１１３…構成情報取得部、１１４…多重化部、１１５…暗号化部、１１６…送信部、１２、１２Ａ、１２Ｂ…放送伝送路、１３…放送衛星、３１、３１Ａ…受信装置、３１１、３１１Ａ、３１１Ｂ…受信部、３１２、３１２Ａ、３１２Ｂ…復号部、３１３、３１３Ａ、３１３Ｂ…分離部、３１４、３１４Ａ、３１４Ｂ…音声復号部、３１６…再生部、３１７、３１７Ａ、３１７Ｂ…映像復号部、３１８…表示合成部、３１９…表示部、３２２…記憶部、３２３…操作入力部、３３１、３３１Ａ…制御部、３３２…文字データ取得部、３３３…設定情報検出部、３３４…配置情報取得部、３３５…通知部、３３６、３３６Ａ…表示制御部、３３７…選局部
【図１】
0006470574.tif 000002
【図２】
0006470574.tif 000003
【図３】
0006470574.tif 000004
【図４】
0006470574.tif 000005
【図５】
0006470574.tif 000006
【図６】
0006470574.tif 000007
【図７】
0006470574.tif 000008
【図８】
0006470574.tif 000009
【図９】
0006470574.tif 000010
【図１０】
0006470574.tif 000011
【図１１】
0006470574.tif 000012
【図１２】
0006470574.tif 000013
【図１３】
0006470574.tif 000014
【図１４】
0006470574.tif 000015
【図１５】
0006470574.tif 000016
【図１６】
0006470574.tif 000017
【図１７】
0006470574.tif 000018
【図１８】
0006470574.tif 000019
【図１９】
0006470574.tif 000020
【図２０】
0006470574.tif 000021
【図２１】
0006470574.tif 000022
【図２２】
0006470574.tif 000023
【図２３】
0006470574.tif 000024
【図２４】
0006470574.tif 000025